(57)【特許請求の範囲】
【請求項１】
ロール状に巻かれた記録紙に印字をする印字部と、
前記記録紙を所定の長さまで搬送するプレゼンタユニットと、
前記所定の長さまで搬送された前記印字された記録紙を切断するカッター部と、
を有し、
プリンタ本体部は、前記印字部と前記カッター部とを含むものであって、
前記プレゼンタユニットは、前記プリンタ本体部と脱着可能なものであり、
前記プレゼンタユニットは、ベゼルを介し前記カッター部と接続されており、
前記プレゼンタユニットは、前記ベゼルと脱着可能であり、
前記ベゼルには、前記プレゼンタユニットが装着されているか否かを検出するセンサが設けられており、
前記ベゼルは、前記カッター部より前記記録紙が進入する進入口部と、前記記録紙が取り出される排紙口部と、を有しており、前記記録紙は、前記ベゼルにおいて、前記カッター部より前記進入口部から進入し、前記排紙口部から排紙されるものであって、
前記プレゼンタユニットは、前記進入口部と前記排紙口部との間に装着されることを特徴とするプリンタ装置。
【請求項２】
前記プレゼンタユニットは、
複数の搬送ギアと、前記複数の搬送ギアに取り付けられた搬送ベルトを有しており、前記搬送ギアが回転することにより、前記搬送ベルトが移動するものであって、
前記記録紙は、前記ロール状に巻かれている方向と逆方向に前記搬送ベルトに巻かれることを特徴とする請求項１に記載のプリンタ装置。
【請求項３】
前記プレゼンタユニットを前記ベゼルに装着することにより、前記ベゼルと前記搬送ベルトとの間のうち、一方の側にプレゼンタ入口部が形成され、他方の側にプレゼンタ出口部が形成され、前記記録紙は、前記プレゼンタ入口部より、前記搬送ベルトに巻かれ、プレゼンタ出口部より出るものであることを特徴とする請求項２に記載のプリンタ装置。
【請求項４】
前記ベゼルの前記進入口部に進入した前記記録紙は、前記プレゼンタユニットの前記プレゼンタ入口部に入り、前記プレゼンタ出口部を通り、前記排紙口部から排紙されることを特徴とする請求項３に記載のプリンタ装置。
【請求項５】
前記ベゼルは、
前記記録紙が取り出されない場合に排紙される他の排紙口部を有することを特徴とする請求項１から４のいずれかに記載のプリンタ装置。
【請求項６】
前記カッター部において切断された記録紙は、前記プレゼンタユニットにより、前記ベゼルの前記排紙口部において取り出し可能な状態の位置まで送られることを特徴とする請求項５に記載のプリンタ装置。
【請求項７】
前記プレゼンタユニットは、前記取り出し可能な状態の位置まで送られた記録紙を逆方向に送り、前記他の排紙口部より排紙されるリトラクト機能を有することを特徴とする請求項６に記載のプリンタ装置。
【請求項８】
前記進入口部と前記排紙口部は略同一線上に設けられていることを特徴とする請求項５から７のいずれかに記載のプリンタ装置。
【請求項９】
前記他の排紙口部は、前記プレゼンタユニットが装着される側とは反対側の前記進入口部と前記排紙口部との間に設けられていることを特徴とする請求項５から８のいずれかに記載のプリンタ装置。
【請求項１０】
前記ベゼルにおいて、前記プレゼンタユニットが接続される接続部分には、２つの開口扉が設けられていることを特徴とする請求項１から９のいずれかに記載のプリンタ装置。
【請求項１１】
各々の前記開口扉の先端部分は鋭角状又は重なりを有する形状で形成されており、
一方の前記開口扉の先端部分が、他方の前記開口扉の先端部分に対し速く閉まる差動機構を有する形状で形成されていることを特徴とする請求項１０に記載のプリンタ装置。
【発明の詳細な説明】
【技術分野】
【０００１】
本発明は、プリンタ装置に関する。
【背景技術】
【０００２】
レシート等を発行するプリンタは、商店等のレジスタ、銀行等におけるＡＴＭ（Automated Teller Machine）やＣＤ（Cash dispenser）等の用途に幅広く用いられている。
【０００３】
このようなレシート等を発行するプリンタは、記録紙となる感熱紙がロール状に巻かれており、記録紙を搬送しながらサーマルヘッド等により記録紙に印字等を行ない、所定の長さまで記録紙を搬送した後、カッターで所定の長さで記録紙を切断するものである。
【０００４】
このようなレシート等を発行するプリンタにおいては、印字している途中や、カッターにより記録紙をカットしている途中で、記録紙が引出されることがないように、プレゼンタが設けられているものがある。このようなプレゼンタを設けることにより、印字し終わった記録紙がプレゼンタ内に入り込みカットされた後、プレゼンタより排紙される。
【０００５】
また、このようなプレゼンタには、プレゼンタとしての機能の他、排紙された記録紙、即ち、印字がされているレシート等を取り忘れた場合に、他人にレシート等が取られることがないようリトラクタとしての機能を有するものもある。
【先行技術文献】
【特許文献】
【０００６】
【特許文献１】特開２００３−１９８４５号公報
【特許文献２】特開２００７−１３０８４２号公報
【発明の概要】
【発明が解決しようとする課題】
【０００７】
ところで、上述したプレゼンタには様々な方式のものがある。例えば、記録紙が排出される排出口において記録紙の先端部分を止めた状態で、記録紙を搬送することにより、排出口の手前で記録紙を撓ませる方法がある。しかしながら、この方法においては、記録紙が撓んでいる状態では不安定であるため、プレゼンタ内の様々な部分と接触し、記録紙が汚れたり、曲がったり、更には、傷ついたりする可能性がある。
【０００８】
また、印刷後の記録紙を巻付け部材等に巻付けた後、カッターによりカットし排紙する方法がある。しかしながら、従来からのこれらの方法では、巻付け部材が機構的に複雑となる場合や、大型化する場合がある。
【０００９】
また、記録紙として用いられるロール紙はロール状に巻かれており、中心部分と外側部分とでは記録紙にかかるカールの具合が異なり、ロール紙の中心部分では、強いカールがかかっているため、排紙されたレシート等においてカールが残ってしまうという問題点もあった。
【００１０】
また、プリンタ装置により印字を行なう場合には、プレゼンタ機能を要する場合と、要しない場合とがあるため、用途ごとに使い分けることが求められおり、更には、プレゼンタの小型化等も求められている。
【００１１】
本発明は、上記に鑑みてなされたものであり、レシート等を発行するプリンタにおいて、プレゼンタが脱着可能であって、小型で記録紙等を傷つけることがなく、ロール紙のカールが残りにくい構造のプリンタ装置を提供することを目的とするものである。
【課題を解決するための手段】
【００１２】
本発明は、ロール状に巻かれた記録紙に印字をする印字部と、前記記録紙を所定の長さまで搬送するプレゼンタユニットと、前記所定の長さまで搬送された前記印字された記録紙を切断するカッター部と、を有し、プリンタ本体部は、前記印字部と前記カッター部とを含むものであって、前記プレゼンタユニットは、前記プリンタ本体部と脱着可能なものであり、前記プレゼンタユニットは、ベゼルを介し前記カッター部と接続されており、前記プレゼンタユニットは、前記ベゼルと脱着可能であり、前記ベゼルには、前記プレゼンタユニットが装着されているか否かを検出するセンサが設けられており、前記ベゼルは、前記カッター部より前記記録紙が進入する進入口部と、前記記録紙が取り出される排紙口部と、を有しており、前記記録紙は、前記ベゼルにおいて、前記カッター部より前記進入口部から進入し、前記排紙口部から排紙されるものであって、前記プレゼンタユニットは、前記進入口部と前記排紙口部との間に装着されることを特徴とする。
【００１３】
また、本発明は、前記プレゼンタユニットは、ベゼルを介し前記カッター部と接続されており、前記プレゼンタユニットは、前記ベゼルと脱着可能であることを特徴とする。
【００１４】
また、本発明は、前記プレゼンタユニットは、前記プレゼンタユニットは、複数の搬送ギアと、前記複数の搬送ギアに取り付けられた搬送ベルトを有しており、前記搬送ギアが回転することにより、前記搬送ベルトが移動するものであって、前記記録紙は、前記ロール状に巻かれている方向と逆方向に前記搬送ベルトに巻かれることを特徴とする。
【００１５】
また、本発明は、前記プレゼンタユニットを前記ベゼルに装着することにより、前記ベゼルと前記搬送ベルトとの間のうち、一方の側にプレゼンタ入口部が形成され、他方の側にプレゼンタ出口部が形成され、前記記録紙は、前記プレゼンタ入口部より、前記搬送ベルトに巻かれ、プレゼンタ出口部より出るものであることを特徴とする。
また、本発明は、前記ベゼルの前記進入口部に進入した前記記録紙は、前記プレゼンタユニットの前記プレゼンタ入口部に入り、前記プレゼンタ出口部を通り、前記排紙口部から排紙されることを特徴とする請求項３に記載のプリンタ装置。
【００１６】
また、本発明は、前記ベゼルは、前記カッター部より前記記録紙が進入する進入口部と、前記記録紙が取り出される排紙口部と、前記記録紙が取り出されない場合に排紙される他の排紙口部と、を有することを特徴とする。
【００１７】
また、本発明は、前記カッター部において切断された記録紙は、前記プレゼンタユニットにより、前記ベゼルの前記排紙口部において取り出し可能な状態の位置まで送られることを特徴とする。
【００１８】
また、本発明は、前記プレゼンタユニットは、前記取り出し可能な状態の位置まで送られた記録紙を逆方向に送り、前記他の排紙口部より排紙されるリトラクト機能を有することを特徴とする。
【００１９】
また、本発明は、前記進入口部と前記排紙口部は略同一線上に設けられていることを特徴とする。
【００２０】
また、本発明は、前記プレゼンタユニットは、前記進入口部と前記排紙口部との間に装着され、前記他の排紙口部は、前記プレゼンタユニットが装着される側とは反対側の前記進入口部と前記排紙口部との間に設けられていることを特徴とする。
【００２１】
また、本発明は、前記ベゼルにおいて、前記プレゼンタユニットが接続される接続部分には、２つの開口扉が設けられていることを特徴とする。
【００２２】
また、本発明は、各々の前記開口扉の先端部分は鋭角状又は重なりを有する形状で形成されており、一方の前記開口扉の先端部分が、他方の前記開口扉の先端部分に対し速く閉まる差動機構を有する形状で形成されていることを特徴とする。
【発明の効果】
【００２３】
本発明によれば、レシート等を発行するプリンタにおいて、プレゼンタが脱着可能であって、小型で記録紙等を傷つけることがなく、ロール紙のカールが残りにくい構造のプリンタ装置を提供することができる。
【図面の簡単な説明】
【００２４】
【図１】本実施の形態におけるプリンタ装置の斜視図（プレゼンタユニットが装着されていない状態）
【図２】本実施の形態におけるプリンタ装置の斜視図（プレゼンタユニットが装着されている状態）
【図３】本実施の形態におけるプリンタ装置の構造図（プレゼンタユニットが付けられている状態）
【図４】本実施の形態におけるプレゼンタユニットの構成図
【図５】本実施の形態におけるプレゼンタユニットの説明図
【図６】記録紙のカールの説明図
【図７】本実施の形態におけるプレゼンタユニットによるリカールの説明図
【図８】本実施の形態におけるプレゼンタユニットの装着方法の説明図
【図９】本実施の形態におけるベゼルに設けられた開口扉の構造図
【図１０】本実施の形態におけるベゼルに設けられた開口扉の動作の説明図
【図１１】本実施の形態におけるベゼルに設けられた他の開口扉の説明図（１）
【図１２】本実施の形態におけるベゼルに設けられた他の開口扉の説明図（２）
【図１３】本実施の形態におけるプリンタ装置の制御を説明するブロック図
【図１４】本実施の形態における他のプリンタ装置の構造図（プレゼンタユニットが付けられている状態）
【発明を実施するための形態】
【００２５】
本発明を実施するための形態について、以下に説明する。尚、同じ部材等については、同一の符号を付して説明を省略する。
【００２６】
（プリンタ装置の構造）
最初に、図１及び図２に基づき、本実施の形態におけるプリンタ装置の構造について説明する。本実施の形態におけるプリンタ装置は、ロール状に巻かれた記録紙１０に文字等を印字する印字部２０と、印字された記録紙１０を所定の長さで切断するカッター部３０とを有している。このため、単に、記録紙に印字をし、所定の長さで切断する場合は、図１に示す構成でも十分対応することができる。本実施の形態では、プレゼンタ機能及びリトラクト機能が求められる場合に対応して、プレゼンタユニット４０が設けられており、記録紙１０が排紙される部分に設けられたベゼル５０を介し、脱着可能な状態で接続されている。尚、本実施の形態におけるプリンタ装置では、プリンタ本体部１００は、印字部２０及びカッター部３０を有するものであって、プレゼンタユニット４０は、プリンタ本体部１００より着脱可能である。図１に示すものが、プリンタ本体部１００となるものである。
【００２７】
次に、本実施の形態におけるプリンタ装置において、プレゼンタユニット４０が接続されている状態におけるプレゼンタ機能、リトラクト機能について説明する。図３に示すように、ロール状に巻かれた記録紙１０は、例えば、緩衝機構部７１を介し、印字部２０に入る。
【００２８】
印字部２０では、記録紙１０を搬送（紙送り）するためのモータ２１が設けられており、モータ２１の回転がプラテンローラ２２に伝達され、プラテンローラ２２が回転することにより記録紙１０が搬送される。また、印字部２０には、サーマルヘッド２３が設けられており、搬送される記録紙１０に、サーマルヘッド２３により印字情報に対応して熱を加えることにより、記録紙１０に印字がなされる。印字された記録紙１０は、プラテンローラ２２が回転することにより、印字部２０よりカッター部を通り、その後、ベゼル５０を介しプレゼンタユニット４０に入る。
【００２９】
カッター部３０では、可動刃３１と固定刃３２が設けられており、可動刃３１が下方向に可動することにより、固定刃３２と可動刃３１により記録紙１０を所定の長さに切断することができる。
【００３０】
プレゼンタユニット４０には、複数の搬送ギヤ４１と、２つの搬送ギア４１に取り付けられた搬送ベルト４２を有しており、搬送ギア４１が回転することにより、搬送ベルト４２が移動し、搬送ベルト４２により記録紙１０を搬送する。図３においては、一例として、搬送ギア４１が４つ設けられており、各々２つの搬送ギア４１には搬送ベルト４２が取り付けられている２組の搬送ベルト４２が設けられている場合を示している。
【００３１】
搬送ギア４１は、図４に示されるように、プレゼンタユニット４０に設けられた回転駆動モジュール部４３により回転させることができる。具体的には、回転駆動モジュール部４３には、モータ４４が設けられており、モータ４４の回転は、回転部４５を介し、第１の伝達ギア４６に伝達され、更に、第１の伝達ギア４６と噛み合った第２の伝達ギア４７に伝達される。これにより、第２の伝達ギア４７の回転が、搬送ギア４１に伝達され、搬送ベルト４２を動かすことができる。尚、回転部４５には、第１の伝達ギア４６に対応した溝が形成されており、回転部４５の溝と第１の伝達ギア４６とが噛み合った状態となっている。
【００３２】
図３に示されるように、ベゼル５０には、カッター部３０から記録紙１０が進入する進入口部５１と、リトラクトされた記録紙１０が排紙される排紙口部５２と、カットされた記録紙１０が通常に排紙される排紙口部５３と、プレゼンタユニット４０に記録紙１０が進入する部分のプレゼンタ入口部５４と、プレゼンタユニット４０から記録紙１０が出る部分のプレゼンタ出口部５５を有している。本実施の形態では、ベゼル５０にプレゼンタユニット４０が装着されていない場合においても、カッター部３０より進入口部５１から進入した記録紙１０が排紙口部５３に排紙されるように、進入口部５１と排紙口部５３は略直線上、または、直線に近い位置となるように配置されている。
【００３３】
尚、プレゼンタ入口部５４及びプレゼンタ出口部５５は、ベゼル５０の所定の部分にプレゼンタユニット４０を差込むことにより形成される。また、ベゼル５０では、進入口部５１に進入した記録紙１０を検出する第１のセンサＳ１、プレゼンタ入口部５４に進入した記録紙１０を検出する第２のセンサＳ２、プレゼンタ出口部５５において記録紙１０を検出する第３のセンサＳ３、排紙口部５３に進入した記録紙１０を検出する第４のセンサＳ４、排紙口部５２に進入した記録紙１０を検出する第５のセンサＳ５が設けられている。尚、第２のセンサＳ２及び第３のセンサＳ３により、ベゼル５０にプレゼンタユニット４０が接続されているか否かの検出を行なうこともできる。
【００３４】
（プレゼンタユニット４０の動作）
次に、図５に基づき、プレゼンタユニット４０の動作について説明する。図５に示されるプレゼンタユニット４０は、各々の搬送ギア４１に付けられた搬送ベルト４２が３組である場合を示しているが、前述したように、搬送ベルト４２が２組の場合であっても同様であり、また、１組や４組以上の場合であっても同様である。
【００３５】
最初に、図５（ａ）に示すように、印字部２０において印字された記録紙１０は、カッター部３０を通った後、進入口部５１よりベゼル５０に入り、更に、プレゼンタ入口部５４よりプレゼンタユニット４０に入る。この状態においては、搬送ギア４１が回転することにより記録紙１０は搬送ベルト４２により搬送される。
【００３６】
次に、図５（ｂ）に示すように、搬送ベルト４２により記録紙１０は所定の長さ搬送された後、カッター部３０における可動刃３１と固定刃３２により切断される。
【００３７】
次に、図５（ｃ）に示すように、記録紙１０は更に搬送され、プレゼンタ出口部５５を通り、排紙口部５３に向かい、所定の位置で止められる。この状態は、記録紙１０が切断されており、排紙口部５３において人が引っ張ることにより、図５（ｄ）に示すように、記録紙１０を排紙することができる。
【００３８】
尚、図５（ｄ）に示す状態は一定時間保たれるが、一定時間経過した後は、記録紙１０を受け取るべき人が記録紙１０を取ることを忘れたものと判断され、他人に記録紙１０を取られることを防ぐため、リトラクト動作を開始する。このリトラクト動作は、搬送ギア４１を逆回転させることにより行なうものであり、図５（ａ）〜（ｃ）における搬送動作とは逆方向に、搬送ベルト４２により記録紙１０を搬送する。これにより、図５（ｅ）に示すように、記録紙１０は、搬送ベルト４２により逆向きに搬送され、プレゼンタ入口部５４を通り排紙口部５２より排紙される。
【００３９】
（記録紙１０のリカール）
次に、プレゼンタユニット４０における記録紙１０のリカールについて説明する。本実施の形態におけるプリンタ装置では、プレゼンタユニット４０においてロール状の記録紙１０のカールと逆の方向に曲げることによりリカールをし、記録紙１０におけるカールを弱めることができる。
【００４０】
このことを図６に基づき説明すると、図６（ａ）に示すように、巻かれている記録紙１０の最初の部分では、曲率半径が大きいため、排出された記録紙１０のカールは弱いが、図６（ｂ）に示すように、巻かれている記録紙１０の終わりに近い部分では、曲率半径が小さくなり、排出された記録紙１０のカールは強く、記録紙１０は丸まってしまう。このような記録紙１０のカールは、図６（ｃ）に示すように、記録紙１０に印字等をする際に、サーマルヘッド２３とプラテンローラ２２との間を通してもリカールすることはできない。
【００４１】
よって、本実施の形態では、図７に示すように、記録紙１０のカールと逆の方向に曲げることによりリカールを行なう。即ち、図７（ａ）に示すように、本実施の形態におけるプレゼンタユニット４０に、記録紙１０が入ることにより、最初の搬送ギア４１ａにおいて搬送ベルト４２を介し、記録紙１０は、カールされている方向とは逆方向に９０°曲げられる。尚、一点鎖線７Ａに囲まれた部分は、搬送ギア４１ａにおいて、記録紙１０のカールの方向と逆向きのリカールの方向を説明するものである。この後、搬送ギア４１ｂにおいて搬送ベルト４２を介し、記録紙１０は、カールされている方向とは逆方向に１８０°曲げられる。尚、一点鎖線７Ｂに囲まれた部分は、搬送ギア４１ｂにおいて、記録紙１０のカールの方向と逆向きのリカールの方向を説明するものである。更に、図７（ｂ）に示すように、記録紙１０は、搬送ギア４１ａにおいて搬送ベルト４２を介し、記録紙１０は、カールされている方向とは逆方向に９０°曲げられ排紙される。尚、一点鎖線７Ｃに囲まれた部分は、搬送ギア４１ａにおいて、記録紙１０のカールの方向と逆向きのリカールの方向を説明するものである。このように、プレゼンユニット４０において、記録紙１０は、カールの方向と逆向きに併せて３６０°のリカールがなされるため、記録紙１０のカールは弱められ、丸まることなく排紙することができる。
【００４２】
以上のように、本実施の形態では、ロール状の記録紙１０のカールの方向と逆向きにリカールされるため、言い換えれば、記録紙１０の印字面側は搬送ベルト４２に沿ってリカールされるため、記録紙１０は丸まることなく排紙される。
【００４３】
（プレゼンタユニット４０の接続方法）
次に、ベゼル５０とプレゼンタユニット４０の接続方法について説明する。本実施の形態におけるプリンタ装置では、ベゼル５０にプレゼンタユニット４０を脱着させることが可能であり、ベゼル５０にプレゼンタユニット４０を接続する（取り付ける）ことにより、プレゼンタユニット４０において、プレゼンタ機能及びリトラクト機能をさせることができる。
【００４４】
このため、図８に示すように、ベゼル５０には、プレゼンタユニット４０が接続される接続部６０を有しており、接続部６０には、プレゼンタユニット４０が接続されていない状態では閉じ、プレゼンタユニット４０を接続することにより開く開口扉６１及び６２が設けられている。
【００４５】
即ち、図８（ａ）に示すように、プレゼンタユニット４０が接続されていない状態では、記録紙１０が通過する部分にゴミ等が侵入しないように、ベゼル５０における開口扉６１及び６２は閉じられている。
【００４６】
次に、図８（ｂ）に示すように、ベゼル５０の接続部６０にプレゼンタユニット４０を接続した際、開口扉６１及び６２は、プレゼンタユニット４０の搬送ギア４１ａにより搬送ベルト４２を介して押されることにより開き、プレゼンタユニット４０は、ベゼル５０の所定の位置に接続される。これにより、プレゼンタ入口部５４及びプレゼンタ出口部５５が形成される。尚、ベゼル５０よりプレゼンタユニット４０を取り外す際には、開口扉６１及び６２は、不図示のバネ等により、図８（ａ）に示すように再び閉じる。
【００４７】
ところで、図９に示されるように、ベゼル５０に設けられている開口扉６１及び６２は、ゴミ等の侵入を防ぐため、先端部分６１ａ及び６２ａは斜めに切断された、または、重なりを有する形状で形成されている。ベゼル５０において、開口扉６１の先端部分６１ａは、プレゼンタユニット４０に近い外側に、例えば、鋭角となっており、開口扉６２の先端部分６２ａは、プレゼンタユニット４０より離れた内側が、例えば、鋭角となっている。このため、開口扉６１の長さ（開口扉６１の回転軸から先端部分６１ａまでの長さ）Ｌ１は、開口扉６２の長さ（開口扉６２の回転軸から先端部分６２ａまでの長さ）Ｌ２よりも短く形成されている。これは、開口扉６２が開口扉６１よりも早く閉じてしまうと、前端部分６１ａと先端部分６２ａとがぶつかってしまい、正常な状態で閉じなくなってしまうため、これを防ぐためである。但し、開閉のシーケンスの実現にあたっては、扉位置のオフセットやバネ力の差による差動駆動方式等が挙げられ、本実施の形態に限定されるものではない。尚、図９では搬送ベルト４２は省略されている。
【００４８】
このことをより具体的に説明すると、図１０に示すように、ベゼル５０にプレゼンタユニット４０を取り付ける際には、開口扉６１及び６２は、搬送ギア４１ａに押されて開く。即ち、ベゼル５０にプレゼンタユニット４０を接続する際には、搬送ギア４１ａは、図１０において、（ａ）、（ｂ）、（ｃ）の順に移動し、開口扉６１及び６２を開く。この際、開口扉６２の長さＬ２は、開口扉６１の長さＬ１よりも長いため、開口扉６２の先端部分６２ａは、開口扉６１の先端部分６１ａよりも下に位置している。また、ベゼル５０よりプレゼンタユニット４０を取り外す際には、搬送ギア４１ａは、図１０において、（ｃ）、（ｂ）、（ａ）の順に移動し、開口扉６１及び６２が閉じる。この際、開口扉６２の長さＬ２は、開口扉６１の長さＬ１よりも長いため、開口扉６２の先端部分６２ａは開口扉６１の先端部分６１ａよりも下に位置するため、開口扉６２が開口扉６１よりも先に閉じてしまうことを防ぐことができる。尚、図１０では搬送ベルト４２は省略されている。
【００４９】
また、開口扉６１及び６２は、搬送ギア４１ａにより搬送ベルト４２を介し記録紙１０を搬送する際のガイドとしての機能も有している。具体的には、図８（ｂ）に示されるように、進入口部５１よりベゼル５０に進入した記録紙１０は、ガイドとして機能する開口扉６２に接触し、開口扉６２の面に沿って移動し、プレゼンタ入口部５４に入り、搬送ベルト４２に巻付けられる。この後、搬送ベルト４２に巻付けられた記録紙１０は、搬送ベルト４２を略１周した後、プレゼンタ出口部５５よりガイドとなる開口扉６１に沿って排紙口部５３の設けられている側に移動する。また、記録紙１０をリトラクトする場合には、搬送ギア４１が逆回転することにより、記録紙１０は搬送ベルト４２により逆方向に送られ、ガイドとなる開口扉６２に沿って移動し、進入口部５１と排紙口部５３との間に設けられた排紙口部５２より排紙される。
【００５０】
本実施の形態では、ベゼル５０において、進入口部５１と排紙口部５３は略同一線上、または、同一線に近い位置に形成されており、進入口部５１から進入した記録紙１０が略直進し、排紙口部５３より排紙されるように形成されている。また、排紙口部５２は、進入口部５１から進入した記録紙１０が排紙口部５２に入り込まないように、進入口部５１と排紙口部５３との間に設けられており、例えば、排紙口部５２は、進入口部５１と直交、又は、排紙口部５３と直交する位置に設けられている。また、接続部６０は、進入口部５１と排紙口部５３との間であって、排紙口部５２とは反対側に設けられており、更に、排紙口部５２と略同一線上、または、同一線に近い位置に位置するように形成されている。また、ベゼル５０の接続部６０にプレゼンタユニット４０を接続することにより形成されるプレゼンタ入口部５４は、排紙口部５２と略同一線上、または、記録紙１０がプレゼンタ入口部５４から排紙口部５２に向かうように形成されており、リトラクトされる記録紙１０が、プレゼンタ入口部５４から排紙口部５２に円滑に入り込むように形成されている。
【００５１】
また、ベゼル５０には、図１１に示すように、ベゼル５０の開口扉６１及び６２において、プレゼンタユニット４０の搬送ギア４１ａが搬送ベルト４２を介して接触する部分に突起部６１ｂ及び６２ｂを設けてもよい。尚、突起部６１ｂ及び６２ｂに代えてピンチローラ部を設けてもよい。図１１（ａ）は開口扉６１及び６２が閉じている状態を示すものであり、図１１（ｂ）は開口扉６１及び６２が搬送ベルト４２を介し搬送ギア４１ａにより開けられた状態を示すものである。
【００５２】
また、図１２に示すように、ベゼル５０の開口扉６１及び６２において、プレゼンタユニット４０の搬送ギア４１ａが搬送ベルト４２を介して接触する部分に凹部６１ｃ及び６２ｃを設けてもよい。凹部６１ｃ及び６２ｃは、搬送ベルト４２を介して接触する搬送ギア４１ａの形状に対応して形成されている。
【００５３】
（プリンタ装置の制御）
次に、図１３に基づき本実施の形態におけるプリンタ装置の制御について説明する。本実施の形態におけるプリンタ装置は、印字部２０及びカッター部３０の駆動及び制御を行なう第１の駆動回路１１１と、プレゼンタユニット４０及びベゼル５０の駆動及び制御を行なう第２の駆動回路１１２を有している。第１の駆動回路１１１は、本実施の形態におけるプリンタ装置を制御するためのホスト１１３に接続されており、ホスト１１３の設定及び指示に基づき動作する。第１の駆動回路１１１には、モータ２１、サーマルヘッド２３、カッター部３０等と接続されており、これらの駆動及び制御を行なう。第２の駆動回路１１２には、モータ４４、第１のセンサＳ１、第２のセンサＳ２、第３のセンサＳ３、第４のセンサＳ４、第５のセンサＳ５と接続されており、モータ４４等の駆動及び制御を行なう。尚、第２の駆動回路１１２は第１の駆動回路１１１に接続されており、ホスト１１３における設定や指示の情報は、第２の駆動回路１１２を介し伝達される。
【００５４】
また、図１４に示すように、本実施の形態におけるプリンタ装置では、プレゼンタユニット４０を記録紙１０が設置されている側とは反対側に設置することも可能である。この場合、破線で示すようにロール状の記録紙１０が、印字面が内向きになるように巻かれている場合には、プレゼンタユニット４０において、リカールさせることができる。
【００５５】
以上、本発明の実施に係る形態について説明したが、上記内容は、発明の内容を限定するものではない。
【符号の説明】
【００５６】
１０        記録紙
２０        印字部
２１        モータ
２２        プラテンローラ
２３        サーマルヘッド
３０        カッター部
３１        可動刃
３２        固定刃
４０        プレゼンタユニット
４１        搬送ギア
４１ａ、４１ｂ        搬送ギア
４２        搬送ベルト
５０        ベゼル
５１        進入口部
５２        排紙口部
５３        排紙口部
５４        プレゼンタ入口部
５５        プレゼンタ出口部
６１        開口扉
６１ａ      先端部分
６２        開口扉
６２ｂ      先端部分
７１        緩衝機構部
７２        制御回路
１００      プリンタ本体部
１１１      第１の駆動回路
１１２      第２の駆動回路
１１３      ホスト
Ｓ１        第１のセンサ
Ｓ２        第２のセンサ
Ｓ３        第３のセンサ
Ｓ４        第４のセンサ
Ｓ５        第５のセンサ
【図１】
0005792518.tif 000002
【図２】
0005792518.tif 000003
【図３】
0005792518.tif 000004
【図４】
0005792518.tif 000005
【図５】
0005792518.tif 000006
【図６】
0005792518.tif 000007
【図７】
0005792518.tif 000008
【図８】
0005792518.tif 000009
【図９】
0005792518.tif 000010
【図１０】
0005792518.tif 000011
【図１１】
0005792518.tif 000012
【図１２】
0005792518.tif 000013
【図１３】
0005792518.tif 000014
【図１４】
0005792518.tif 000015